(57)【要約】      （修正有）【課題】籾殻類を搭載し、圃場に対して均質に散布可能であると共に、籾殻類の残量分を一箇所にまとめて効率的に排出可能とすることができる新たな籾殻散布技術を提供する。【解決手段】開閉機構を有して下向きに開閉可能な散布口３１が設けられた四角形底面３、および、該底面３の上方の前後左右周囲四面の所定高寸法の範囲を囲む周囲面４からなる装置骨格体２が設けられ、該装置骨格体２内にはコンテナシート８が内張りとなるよう内装され、周囲面４の後面、左面、右面の少なくとも何れか一面の下端から、前記所定高寸法の範囲に相当する上方範囲を開口し、同開口を開閉可能な排出ドア６０を備える排出ゲート６が設けられ、収容物を底面３の散布口から散布可能とすると共に、清掃する場合は排出ドア６０を開き、残存する収容物を排出可能とされてなる籾殻散布装置１である。【選択図】図１
2019097410.tif 000002
【特許請求の範囲】
【請求項１】
開閉機構を有して下向きに開閉可能な散布口が設けられた四角形底面、および、該底面の上方の前後左右周囲四面の所定高寸法の範囲を囲む周囲面からなる装置骨格体が設けられ、該装置骨格体内にはコンテナシートが内張りとなるよう内装され、周囲面の後面、左面、右面の少なくとも何れか一面の下端から、前記所定高寸法の範囲に相当する上方範囲を開口し、同開口を開閉可能な排出ドアを備える排出ゲートが設けられてなるものとしたことを特徴とする籾殻散布装置。
【請求項２】
開閉機構を有して下向きに開閉可能な散布口が設けられた四角形底面、および、該底面の上方の前後左右周囲四面の所定高寸法の範囲を囲む周囲面からなる装置骨格体が設けられ、該装置骨格体内にはコンテナシートが内張りとなるよう内装され、周囲面の後面、左面、右面の少なくとも何れか一面の下端から、前記所定高寸法の範囲に相当する上方範囲を開口し、同開口を開閉可能な排出ドアを備える排出ゲートが設けられ、収容物を底面の散布口から散布可能とすると共に、清掃する場合は排出ドアを開き、残存する収容物を排出可能とされてなるものとしたことを特徴とする籾殻散布装置。
【請求項３】
底面に開閉機構を有する散布口が設けられた矩形枠形状の底面フレームを有し、該底面フレーム上方の前後左右周囲四面の所定高寸法の範囲を囲み、上下端面が開口され、後面左右端間略全幅の下端から、前記所定高寸法の１／２ないし１／６の範囲に相当する上方範囲を開口し、同開口を開閉可能な排出ドアを備える排出ゲートを有した周囲フェンスが設けられ、該底面フレームの周縁上端上と、該周囲フェンスの下端外周縁下との間に、点在する複数の接続部を介して該底面フレームと該周囲フェンスとが一体化し、外がわ適所に車両用の取付部を有し、該排出ドアの閉鎖姿勢下端外壁の必要箇所の夫々に装着棒用の挿着環が設けられた装置骨格体となり、軟質シート製のコンテナシートが、該周囲フェンスの内周壁に沿って装着可能な、上端投入口および下端排出口を有する筒型とされ、該コンテナシートは、少なくとも該上端投入口付近の周囲に沿って該周囲フェンスの内周壁上端に装着可能な吊着部が設けられ、同コンテナシートの下端排出口には、底面フレームの内周壁上端から、さらに下方に一定寸法分延伸された閉止スカート部が設けられると共に、該閉止スカート部の上端付近の外周囲に沿って、前記各接続部、挿着環、四角およびそれ以外の必要箇所を除く範囲に、水平方向に貫通するスリーブが設けられ、該周囲フェンス後壁面の排出ドアに対応する該コンテナシートには、該排出ドアの左右端に対峙する位置に、閉止スカート部から該排出ドアの上端に達する適宜上下間寸法の左右開閉ファスナーが設けられ、該左右開閉ファスナー間の排出ドアに対応する範囲が、開閉可能な後部開閉面とされ、該コンテナシートが、該装置骨格体の周囲フェンスの内周壁上端に上端投入口が対応するよう吊着部を介して吊着され、底面フレームの周壁上端と周囲フェンスの周壁下端との前および左右の各隙間から、外がわに引き出された各スリーブに対し、底面フレームの周壁上端と周囲フェンスの周壁下端との前および左右の隙間の各上下幅よりも僅かに大きな直径に設定された前および左右の各装着棒が挿し通され、底面フレームの後ろの周壁上端と排出ドアの閉鎖姿勢下端との隙間から、外がわに引き出された各スリーブ、および、排出ドアの閉鎖姿勢下端外壁の各挿着環に対し、後ろの装着棒が挿し通され、底面フレームの上端内周壁に閉止スカート部が重ねられた状態に内装されてなるものとしたことを特徴とする籾殻散布装置。
【請求項４】
矩形枠形状の底面に開閉機構を有する下向き散布口が設けられた底面フレームを有し、該底面フレーム上方の前後左右周囲四面の所定高寸法の範囲を囲み、上下端面が開口され、後面左右端間略全幅の下端から、前記所定高寸法の１／２ないし１／６の範囲に相当する上方範囲を開口し、同開口を開閉可能な排出ドアを備える排出ゲートを有した周囲フェンスが設けられ、該底面フレームの上端周縁上と、該周囲フェンスの下端外周縁下との間に、点在する複数の接続部を介して該底面フレームと該周囲フェンスとが一体化し、前面外がわ適所にヒッチフレームの取付部を有し、該周囲フェンスの接続柱部の外壁、および、排出ドア下端外壁の必要箇所の要所々々には、夫々、装着棒用の挿着環が設けられた装置骨格体となり、軟質シート製のコンテナシートが、該周囲フェンスの内周壁の上下端間の矩形筒型形状に沿って装着可能であって、上端投入口および下端排出口を有する筒型とされ、該コンテナシートは、少なくとも該上端投入口付近の周囲に沿って該周囲フェンスの内周壁上端に装着可能な吊着部が設けられ、同コンテナシートの下端排出口には、底面フレームの内周壁上端から、さらに下方に一定寸法分延伸された閉止スカート部が設けられると共に、該閉止スカート部の上端付近の外周囲に沿って、前記各接続部、挿着環、四角およびそれ以外の必要箇所を除く範囲に、水平方向に貫通するスリーブが設けられ、該周囲フェンス後壁面の排出ドアに対応する該コンテナシートには、該排出ドアの左右端に対峙する位置に、閉止スカート部から該排出ドアの上端に達する適宜上下間寸法の左右開閉ファスナーが設けられ、該左右開閉ファスナー間の排出ドアに対応する範囲が、開閉可能な後部開閉面とされ、該コンテナシートが、該装置骨格体の周囲フェンスの内周壁上端に上端投入口が対応するよう吊着部を介して吊着され、底面フレームの周壁上端と周囲フェンスの周壁下端との前および左右の各隙間から、外がわに引き出された各スリーブに対し、底面フレームの周壁上端と周囲フェンスの周壁下端との前および左右の隙間の各上下幅よりも僅かに大きな直径に設定された前および左右の計３本の各装着棒が挿し通され、底面フレームの後ろの周壁上端と排出ドアの閉鎖姿勢下端との隙間から、外がわに引き出された各スリーブ、および、排出ドアの閉鎖姿勢下端外壁の各挿着環に対し、後ろの1本の装着棒が挿し通され、底面フレームの上端内周壁に閉止スカート部が重ねられた状態に内装されてなるものとしたことを特徴とする籾殻散布装置。
【請求項５】
矩形枠形状の左右端間に渡り、上端から下端に向けて前後壁面間が狭まる漏斗状であって、開閉機構を有する下向き散布口が少なくとも一個設けられた底面フレームを有し、該底面フレーム上方の前後左右周囲四面の所定高寸法の範囲を囲み、上下端面が開口され、後面左右端間略全幅の下端から、前記所定高寸法の１／２ないし１／６の範囲に相当する上方範囲を開口し、同開口を開閉可能な排出ドアを備える排出ゲートを有した周囲フェンスが設けられ、該底面フレームの上端周縁上と、該周囲フェンスの下端外周縁下との間に、点在する複数の接続柱部を介して該底面フレームと該周囲フェンスとが一体化し、前面外がわの左右端間中央にヒッチフレームの取付部を有し、該周囲フェンスの接続柱部の外壁、および、排出ドア下端外壁の必要箇所の要所々々には、夫々、装着棒用の挿着環が設けられた装置骨格体となり、軟質シート製のコンテナシートが、該周囲フェンスの内周壁の上下端間の矩形筒型形状に沿って装着可能であって、上端投入口および下端排出口を有する筒型とされ、該コンテナシートは、少なくとも該上端投入口付近の周囲に沿って該周囲フェンスの内周壁上端に装着可能な吊着部が設けられ、同コンテナシートの下端排出口には、底面フレームの内周壁上端から、さらに下方に一定寸法分延伸された閉止スカート部が設けられると共に、該閉止スカート部の上端付近の外周囲に沿って、前記各接続柱部、挿着環、四角およびそれ以外の必要箇所を除く範囲に、水平方向に貫通するスリーブが設けられ、該周囲フェンス後壁面の排出ドアに対応する該コンテナシートには、該排出ドアの左右端に対峙する位置に、閉止スカート部から該排出ドアの上端を超える適宜上下間寸法の左右開閉ファスナーが設けられ、該左右開閉ファスナー間の排出ドアに対応する範囲が、開閉可能な後部開閉面とされ、該コンテナシートが、該装置骨格体の周囲フェンスの内周壁上端に上端投入口が対応するよう吊着部を介して吊着され、底面フレームの周壁上端と周囲フェンスの周壁下端との前および左右の各隙間から、外がわに引き出された各スリーブに対し、底面フレームの周壁上端と周囲フェンスの周壁下端との前および左右の隙間の各上下幅よりも僅かに大きな直径に設定された前および左右の計３本の各装着棒が挿し通され、底面フレームの後ろの周壁上端と排出ドアの閉鎖姿勢下端との隙間から、外がわに引き出された各スリーブ、および、排出ドアの閉鎖姿勢下端外壁の各挿着環に対し、後ろの1本の装着棒が挿し通され、底面フレームの上端内周壁に閉止スカート部が重ねられた状態に内装されてなるものとしたことを特徴とする籾殻散布装置。
【請求項６】
排出ゲートの上下間の高さ寸法が、周囲フェンスの全高である所定高寸法の１／３に設定されてなるものとした、請求項１ないし５何れか一記載の籾殻散布装置。
【請求項７】
排出ゲートの排出ドアが、同排出ゲートの開口上端に対し、該排出ドアの上端が水平軸のヒンジ機構を介して軸着され、同排出ゲートの開口の前後または左右の何れか一方の下端には、該排出ドアの前後または左右の何れか一方の下端を夫々施・解錠可能な鈎機構が設けられ、排出ドアの開放姿勢を維持可能とするよう周囲フェンスの側面適所に、排出ドアの外壁適所を吊下可能な鈎棒からなる開放維持機構を有するものとしてなる、請求項１ないし６何れか一記載の籾殻散布装置。
【発明の詳細な説明】
【技術分野】
【０００１】
この発明は、粒状物や粉状物等を輸送し必要範囲に散布可能とする散布技術に関連するあらゆる分野をその技術分野とするものであって、トラクタやその他の農業用機械等の走行車両に連結あるいは搭載可能な散布装置を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑などを効率的に再利用するリサイクル分野、その他現時点で想定できない新たな分野までと、殆ど関連しない技術分野はない程である                                                                                      
【背景技術】
【０００２】
（着目点）
稲作の収穫後に籾摺りによって発生する籾殻は、圃場に搬入し、そのまま山積みするなどして放置してしまうと、風に吹き飛ばされて周辺に飛散したり、雨水に浮き上がり、圃場外の農業用水路や河川等に大量に流出してしまうなど、周辺地域に悪影響を与えてしまうという問題があり、こうした弊害を防止するため、籾殻を潰したり砕いたりするか、焼却、あるいは蒸し焼きにして燻炭にする等の前処理を施した後、圃場に漉き込んで堆肥として利用するといった処理方法が広く行われるようになったが、籾殻を潰したり砕いたりする作業は、機械の導入や作業者の割り当て等の労力と経費が嵩むという問題があり、また、焼却や蒸し焼きの際に発生する煙や埃等は、田園地帯に近接する住宅や工場、道路を利用する歩行者や車両等に多大な迷惑をかけてしまうなどといった新たな問題が明らかになり、最近ではそれらの処理を避ける傾向にある。
【０００３】
（従来の技術）
こうした経緯を経て、近年では、籾摺り後に発生した大量の籾殻を、圃場に均等に散布した上、乾燥状態のまま地表に露出しないよう、速やかに土壌内に漉き込んで、土と地中水分とによく馴染ませ、翌年の春先までには、地中に還元し、籾殻の性状とその特異な殻構造とによって土壌を改善し、堆肥その他の有機肥料による施肥効果を高めるように処理する技術が、籾殻の圃場周辺への飛散や流出を確実に防止できる上に、破砕・粉砕用の機械類の導入や、燻炭処理に要する作業工数を大幅に削減でき、焼却や蒸し焼き作業に伴う煙害や塵埃の発生を無くすことができるという理由から広く普及し、こうした事情に着目した本願出願人は、逸早く、籾殻を圃場に均質に、しかも効率的に散布可能とする、下記の特許文献１（１）ないし（４）に開示された、「籾殻散布装置」発明の開発および実用化に成功している。
【０００４】
しかし、前者特許文献１（１）ないし（４）に示されたような「籾殻散布装置」は、トラクターのヒッチに搭載し、圃場を走行しながら籾殻を薄く均等に散布する性能を重視して開発されたため、トラクターのヒッチの上昇高さの違いで多少の違いは有るものの、これら「籾殻散布装置」の底面に設けられた散布口の、地上面からの高さは低くなるよう設定されており、圃場への散布を終えた後、「籾殻散布装置」内に、例えば全容量の１／３を超える程度残存した籾殻を、まとめて一箇所に排出しようとすると、地上面と底面の散布口との間の空間が足らず、広いスペースを確保してトラクターを移動しながら厚く散布するように排出することとなり、排出後の籾殻を回収する作業に多大な労力を要するものとなってしまうという欠点があった。                                                            
【特許文献１】（１）特許第３９２３４４３号公報    （２）特許第４０８８６０５号公報    （３）特許第４４５０２９１号公報    （４）特許第４９２８５７０号公報
【発明の概要】
【発明が解決しようとする課題】
【０００５】
（問題意識）
上述したとおり、従前までに提案のある各種「籾殻散布装置」は、何れも一度、籾殻類を収容してしまうと、底面に設けられた散布口から散布するようにして排出する外に排出手段を備えておらず、散布を終えた後に、「籾殻散布装置」内に残存する籾殻類を、一箇所にまとめて排出することができず、残量分の排出作業に多大な手間と労力とを要するものとなっており、全量を排出するまでトラクターを走行させたり、「籾殻散布装置」をトラクターから下ろし、フレームの一部を分解するなどして内部に装着され、籾殻が収容されているコンテナシートの上端投入口を外に引き出して、残存する籾殻を掻き出すといった面倒な作業を要するものとなっていた。
【０００６】
（発明の目的）
そこで、この発明は、籾殻類を搭載し、圃場に対して均質に散布可能であると共に、籾殻類の残量分を一箇所にまとめて効率的に排出可能とすることができる新たな籾殻散布技術の開発はできないものかとの判断から、逸速くその開発、研究に着手し、長期に渡る試行錯誤と幾多の試作、実験とを繰り返してきた結果、今回、遂に新規な構造の籾殻散布装置を実現化することに成功したものであり、以下では、図面に示すこの発明を代表する実施例と共に、その構成を詳述することとする。                                                    
【課題を解決するための手段】
【０００７】
（発明の構成）
図面に示すこの発明を代表する実施例からも明確に理解されるように、この発明の籾殻散布装置は、基本的に次のような構成から成り立っている。
即ち、開閉機構を有して下向きに開閉可能な散布口が設けられた四角形底面、および、該底面の上方の前後左右周囲四面の所定高寸法の範囲を囲む周囲面からなる装置骨格体が設けられ、該装置骨格体内にはコンテナシートが内張りとなるよう内装され、周囲面の後面、左面、右面の少なくとも何れか一面の下端から、前記所定高寸法の範囲に相当する上方範囲を開口し、同開口を開閉可能な排出ドアを備える排出ゲートが設けられてなるものとした構成を要旨とする籾殻散布装置である。
【０００８】
この基本的な構成からなる籾殻散布装置は、表現を変えて示すと、開閉機構を有して下向きに開閉可能な散布口が設けられた四角形底面、および、該底面の上方の前後左右周囲四面の所定高寸法の範囲を囲む周囲面からなる装置骨格体が設けられ、該装置骨格体内にはコンテナシートが内張りとなるよう内装され、周囲面の後面、左面、右面の少なくとも何れか一面の下端から、前記所定高寸法の範囲に相当する上方範囲を開口し、同開口を開閉可能な排出ドアを備える排出ゲートが設けられ、収容物を底面の散布口から散布可能とすると共に、清掃する場合は排出ドアを開き、残存する収容物を排出可能とされてなるものとした構成からなる籾殻散布装置となる。
【０００９】
より具体的なものとして示すならば、底面に開閉機構を有する散布口が設けられた矩形枠形状の底面フレームを有し、該底面フレーム上方の前後左右周囲四面の所定高寸法の範囲を囲み、上下端面が開口され、後面左右端間略全幅の下端から、前記所定高寸法の１／２ないし１／６の範囲に相当する上方範囲を開口し、同開口を開閉可能な排出ドアを備える排出ゲートを有した周囲フェンスが設けられ、該底面フレームの周縁上端上と、該周囲フェンスの周縁下端下との間に、点在する複数の接続部を介して該底面フレームと該周囲フェンスとが一体化し、外がわ適所に車両用の取付部を有し、該排出ドアの閉鎖姿勢下端外壁の必要箇所の夫々に装着棒用の挿着環が設けられた装置骨格体となり、軟質シート製のコンテナシートが、該周囲フェンスの内周壁に沿って装着可能な、上端投入口および下端排出口を有する筒型とされ、該コンテナシートは、少なくとも該上端投入口付近の周囲に沿って該周囲フェンスの内周壁上端に装着可能な吊着部が設けられ、同コンテナシートの下端排出口には、底面フレームの内周壁上端から、さらに下方に一定寸法分延伸された閉止スカート部が設けられると共に、該閉止スカート部の上端付近の外周囲に沿って、前記各接続部、挿着環、四角およびそれ以外の必要箇所を除く範囲に、水平方向に貫通するスリーブが設けられ、該周囲フェンス後壁面の排出ドアに対応する該コンテナシートには、該排出ドアの左右端に対峙する位置に、閉止スカート部から該排出ドアの上端に達する適宜上下間寸法の左右開閉ファスナーが設けられ、該左右開閉ファスナー間の排出ドアに対応する範囲が、開閉可能な後部開閉面とされ、該コンテナシートが、該装置骨格体の周囲フェンスの内周壁上端に上端投入口が対応するよう吊着部を介して吊着され、底面フレームの周壁上端と周囲フェンスの周壁下端との前および左右の各隙間から、外がわに引き出された各スリーブに対し、底面フレームの周壁上端と周囲フェンスの周壁下端との前および左右の隙間の各上下幅よりも僅かに大きな直径に設定された前および左右の各装着棒が挿し通され、底面フレームの後ろの周壁上端と排出ドアの閉鎖姿勢下端との隙間から、外がわに引き出された各スリーブ、および、排出ドアの閉鎖姿勢下端外壁の各挿着環に対し、後ろの装着棒が挿し通され、底面フレームの上端内周壁に閉止スカート部が重ねられた状態に内装されてなるものとした構成からなる籾殻散布装置となる。
【００１０】
さらに具体的なものとして示すならば、矩形枠形状の底面に開閉機構を有する下向き散布口が設けられた底面フレームを有し、該底面フレーム上方の前後左右周囲四面の所定高寸法の範囲を囲み、上下端面が開口され、後面左右端間略全幅の下端から、前記所定高寸法の１／２ないし１／６の範囲に相当する上方範囲を開口し、同開口を開閉可能な排出ドアを備える排出ゲートを有した周囲フェンスが設けられ、該底面フレームの周縁上端上と、該周囲フェンスの周縁下端下との間に、点在する複数の接続部を介して該底面フレームと該周囲フェンスとが一体化し、前面外がわ適所にヒッチフレームの取付部を有し、該周囲フェンスの接続柱部の外壁、および、排出ドア下端外壁の必要箇所の要所々々には、夫々、装着棒用の挿着環が設けられた装置骨格体となり、軟質シート製のコンテナシートが、該周囲フェンスの内周壁の上下端間の矩形筒型形状に沿って装着可能であって、上端投入口および下端排出口を有する筒型とされ、該コンテナシートは、少なくとも該上端投入口付近の周囲に沿って該周囲フェンスの内周壁上端に装着可能な吊着部が設けられ、同コンテナシートの下端排出口には、底面フレームの内周壁上端から、さらに下方に一定寸法分延伸された閉止スカート部が設けられると共に、該閉止スカート部の上端付近の外周囲に沿って、前記各接続部、挿着環、四角およびそれ以外の必要箇所を除く範囲に、水平方向に貫通するスリーブが設けられ、該周囲フェンス後壁面の排出ドアに対応する該コンテナシートには、該排出ドアの左右端に対峙する位置に、閉止スカート部から該排出ドアの上端に達する適宜上下間寸法の左右開閉ファスナーが設けられ、該左右開閉ファスナー間の排出ドアに対応する範囲が、開閉可能な後部開閉面とされ、該コンテナシートが、該装置骨格体の周囲フェンスの内周壁上端に上端投入口が対応するよう吊着部を介して吊着され、底面フレームの周壁上端と周囲フェンスの周壁下端との前および左右の各隙間から、外がわに引き出された各スリーブに対し、底面フレームの周壁上端と周囲フェンスの周壁下端との前および左右の隙間の各上下幅よりも僅かに大きな直径に設定された前および左右の計３本の各装着棒が挿し通され、底面フレームの後ろの周壁上端と排出ドアの閉鎖姿勢下端との隙間から、外がわに引き出された各スリーブ、および、排出ドアの閉鎖姿勢下端外壁の各挿着環に対し、後ろの1本の装着棒が挿し通され、底面フレームの上端内周壁に閉止スカート部が重ねられた状態に内装されてなるものとした構成からなる籾殻散布装置となる。
【００１１】
より一層具体的なものとして示すと、矩形枠形状の左右端間に渡り、上端から下端に向けて前後壁面間が狭まる漏斗状であって、開閉機構を有する下向き散布口が少なくとも一個設けられた底面フレームを有し、該底面フレーム上方の前後左右周囲四面の所定高寸法の範囲を囲み、上下端面が開口され、後面左右端間略全幅の下端から、前記所定高寸法の１／２ないし１／６の範囲に相当する上方範囲を開口し、同開口を開閉可能な排出ドアを備える排出ゲートを有した周囲フェンスが設けられ、該底面フレームの周縁上端上と、該周囲フェンスの周縁下端下との間に、点在する複数の接続柱部を介して該底面フレームと該周囲フェンスとが一体化し、前面外がわの左右端間中央にヒッチフレームの取付部を有し、該周囲フェンスの接続柱部の外壁、および、排出ドア下端外壁の必要箇所の要所々々には、夫々、装着棒用の挿着環が設けられた装置骨格体となり、軟質シート製のコンテナシートが、該周囲フェンスの内周壁の上下端間の矩形筒型形状に沿って装着可能であって、上端投入口および下端排出口を有する筒型とされ、該コンテナシートは、少なくとも該上端投入口付近の周囲に沿って該周囲フェンスの内周壁上端に装着可能な吊着部が設けられ、同コンテナシートの下端排出口には、底面フレームの内周壁上端から、さらに下方に一定寸法分延伸された閉止スカート部が設けられると共に、該閉止スカート部の上端付近の外周囲に沿って、前記各接続柱部、挿着環、四角およびそれ以外の必要箇所を除く範囲に、水平方向に貫通するスリーブが設けられ、該周囲フェンス後壁面の排出ドアに対応する該コンテナシートには、該排出ドアの左右端に対峙する位置に、閉止スカート部から該排出ドアの上端を超える適宜上下間寸法の左右開閉ファスナーが設けられ、該左右開閉ファスナー間の排出ドアに対応する範囲が、開閉可能な後部開閉面とされ、該コンテナシートが、該装置骨格体の周囲フェンスの内周壁上端に上端投入口が対応するよう吊着部を介して吊着され、底面フレームの周壁上端と周囲フェンスの周壁下端との前および左右の各隙間から、外がわに引き出された各スリーブに対し、底面フレームの周壁上端と周囲フェンスの周壁下端との前および左右の隙間の各上下幅よりも僅かに大きな直径に設定された前および左右の計３本の各装着棒が挿し通され、底面フレームの後ろの周壁上端と排出ドアの閉鎖姿勢下端との隙間から、外がわに引き出された各スリーブ、および、排出ドアの閉鎖姿勢下端外壁の各挿着環に対し、後ろの1本の装着棒が挿し通され、底面フレームの上端内周壁に閉止スカート部が重ねられた状態に内装されてなるものとした構成からなる籾殻散布装置となる。                                                                                                      
【発明の効果】
【００１２】
以上のとおり、この発明の籾殻散布装置によれば、従前までのものとは違い、上記したとおりの固有の特徴ある構成から、底面に散布口を有する装置骨格体の内がわに、コンテナシートが内張りとなるよう内装され、籾殻などの粒状体や、その他の粉状体などの収容物を漏出しないよう積載可能であって、当該籾殻散布装置を搭載した車両を、圃場などの広大な敷地に走行させながら、底面の散布口から収容物を散布することにより、圃場に万遍なく均質に散布することが可能となる上、散布作業を終えた後に、内部に残存する粒状体や粉状体は、周囲面の後面、左面、右面の少なくとも何れか一面に設けられた排出ゲートの排出ドアを開放し、底面の散布口を経ずに、一箇所にまとめて排出することができるようになるから、清掃、メンテナンス作業の効率を大幅に改善することができ、特に、周囲面の後面、左面、右面の各面に排出ドアが設けられたものや、周囲面の後面、および、左面、右面の何れか一方に排出ドアが設けられたもの、左面および右面の双方または何れか一方に排出ドアが設けられたもの、後面のみに排出ドアが設けられたものなど、多様な使用条件に応じて配された排出ドアを有するものとし、収容物の排出作業性を格段に高めたものとすることができるという秀でた特徴を有するものである。
【００１３】
加えて、該籾殻散布装置の装置骨格体に対し、コンテナシートが、同コンテナシートの少なくとも上端投入口付近に設けられた吊着部を介して、周囲フェンスの内周壁に沿って吊下されると共に、底面フレームの周壁上端と周囲フェンスの周壁下端との隙間から、外がわに引き出されたスリーブに対し、底面フレームの周壁上端と周囲フェンスの周壁下端との隙間の上下幅よりも僅かに大きな直径に設定された装着棒が挿し通された上、閉止スカート部が、底面フレームの内周壁上端から、さらに下方に一定寸法分延伸、垂下状となるよう内装されたものとなっているから、組み立てが簡単であり、しかも底面フレームの周壁上端と周囲フェンスの周壁下端との間の上下間隙間から、粒状体や粉状体などの収容物が、外部に漏出してしまうのを確実に防止可能なものとすることができるという優れた効果が得られ、さらに、装置骨格体の周囲フェンスの後面左右端間略全幅の下端から、周囲フェンスの全高寸法である所定高寸法の１／２ないし１／６の範囲に相当する上方範囲が開口され、同開口を開閉可能な排出ドアが設けられた排出ゲートを有するから、圃場などへの散布作業を終えた後に、コンテナシート内に残存した粒状体や粉状体などの収容物を、該排出ドアを開き、容易に一箇所にまとめて排出することが可能となり、散布作業後のメンテナンス作業や清掃、格納作業の作業性を大幅に高めたものとすることができるという秀でた効果を奏するものである。
【００１４】
また、底面フレームの後ろの周壁上端と排出ドアの閉鎖姿勢下端との隙間から、外がわに引き出された各スリーブ、および、排出ドアの閉鎖姿勢下端外壁の各挿着環に対し、後ろの装着棒が挿し通されたものとしたから、開閉動作する排出ドアに対し、コンテナシートの後部開閉面が添設状態を維持したまま追従するものとなり、排出ゲートの開口を通じて外に排出される粒状体や粉状体の収容物が、後部開閉面のまとわりつきによって円滑な排出を阻害されたり、排出停止してしまったりするのを、より確実に防止し、より円滑な排出を実現化することができる上、左右開閉ファスナーの開閉操作性が格段に高められたものとなる。
【００１５】
そして、排出ゲートの上下間の高さ寸法が、周囲フェンスの全高である所定高寸法の１／３に設定されてなるものは、排出ドアの1人の作業者による開閉操作性を高め、粒状体や粉状体の収容物をより円滑且つ迅速に排出することができる上、周囲フェンスの分割部品構成を設定し易く、旧型の周囲フェンスに対して、排出ゲートを組み込み、同様の効果を得られるよう設定し、既に旧型の籾殻散布装置を所有する利用者が、低コストで、排出ゲートを新設することができるよう、排出ゲート、排出ドア、および、コンテナシートなどの部品販売が可能になるという優れた特徴が得られる。
【００１６】
排出ゲートの排出ドアが、同排出ゲートの開口上端に対し、該排出ドアの上端が水平軸のヒンジ機構を介して軸着され、同排出ゲートの開口左右下端には、該排出ドアの左右下端を夫々施・解錠可能な鈎機構が設けられ、排出ドアの開放姿勢を維持可能とするよう周囲フェンスの後面適所に、排出ドアの外壁適所を吊下可能な鈎棒からなる開放維持機構を有するものとしたものは、排出ドアの閉鎖姿勢および開放姿勢の維持を夫々より確実に行うことができるものとなり、粒状体や粉状体の収容物の散布作業、および、一箇所への排出作業をより効率的に行えるものとすることができる。                                                  
【発明を実施するための最良の形態】
【００１７】
上記したとおりの構成からなるこの発明の実施に際し、その最良もしくは望ましい形態について説明を加えることにする。
籾殻散布装置は、車両の前部や後部などの適所に着脱自在に設置するよう搭載され、粒状体や粉状体を収容し、該収容物を底面から散布可能とする機能を担い、装置骨格体、および、該装置骨格体に内装された、コンテナシートからなるものとしなければならない。
【００１８】
装置骨格体は、当該籾殻散布装置の骨格を形成し、コンテナシートを外がわから所望の筒形状に支持すると共に、コンテナシートの底面を開閉可能に閉鎖し、該コンテナシート内に収容された粒状体や粉状体を底面から散布可能とする機能を担うものであり、底面に開閉機構を有する散布口が設けられ、さらに、後面、左面、右面の少なくとも何れか一面の下方範囲に開閉可能な排出ドアを有するものとしなければならず、外周壁の何れか適所に車両用の取付部が設けられたものとし、製造、梱包、保管、輸送、販売および収納などの利便性を考慮すると、開閉機構を有する散布口が設けられた底面フレームおよび、後面下方範囲に開閉可能な排出ドアを有する周囲フェンスの組み合わせからなるものとすべきであり、後述する実施例にも示すように、周囲フェンスが、前後左右の各壁面毎に分割され、さらに、少なくとも前後の各壁面が上下に分割された部品構成からなり、接続柱部および該接続柱部に着脱可能な被接続部が対をなす接続部や、ボルト・ナット類などの接続部品類が設けられたものとするのが望ましい。
【００１９】
装置骨格体の底面は、当該籾殻散布装置に収容された粒状体や粉状体を下がわから保持し、散布口を開放して、収容物を一定量ずつ連続的に散布可能とする機能を担い、開閉機構を有して下向きに開閉可能な散布口が設けられたものとしなければならず、収容量の確保や構造上の理由から四角形の底面とすべきであるが、半円形、円形、三角形、五角形、それ以外の多角形、それ以外の異形状の何れか、またはそれらの組み合わせからなる平面形状の底面とされたものとすることが可能である。
【００２０】
底面フレームは、その周囲縁上に、周囲フェンスの下端を一体的に支持可能とすると共に、コンテナシートの下端排出口の直下に配された散布口を開閉自在に閉鎖可能とする機能を担い、矩形枠形状の周囲上方の複数適所に、周囲フェンスの下端を着脱自在に接続可能な接続部が設けられ、しかも周囲フェンスの下端との間に、コンテナシートのスリーブの肉厚寸法分を上下から挟み込み可能な上下間の隙間が確保されたものであって、底面中央付近の適所に上下に貫通し、開閉機構を有する散布口が少なくとも一個設けられたものとしなければならず、後述する実施例にも示しているが、左右端間に渡り、上端から下端に向けて前後壁面間が狭まる漏斗状であって、開閉機構を有する下向き散布口が、前後に複数個設けられたものとするのが望ましい。
【００２１】
装置骨格体の周囲面は、当該籾殻散布装置に収容された粒状体や粉状体を周囲側方から保持すると共に、周囲面の後面、左面、右面の少なくとも何れか一面の下端寄りとなる適宜範囲を開閉可能とする機能を担い、周囲面の後面、左面、右面の少なくとも何れか一面の下端から、前記所定高寸法の範囲に相当する上方範囲を開口し、同開口を開閉可能な排出ドアを備える排出ゲートが設けられてなるものとしなければならず、一個の周囲フェンスからなるものとすることが可能な外、前面、後面、左面および右面に分解可能なものとすることができ、さらに、後述する実施例にも示しているが、前面、後面、左面および右面の各面の中の少なくとも何れか一面が、排出ゲートを含む複数枚のフェンス部品の組み合わせからなるものとすることができる。
【００２２】
周囲フェンスは、その下部に沿って、底面フレームの上端に一体的に組み立て可能であって、その内周壁に沿うようコンテナシートが内装されるよう吊り下げ保持可能とすると共に、収容物を収容したコンテナシートを外がわから支持可能とする機能を担っており、底面フレーム上方の前後左右周囲四面の所定高寸法の範囲を囲み、上下端面が開口され、後面左右端間略全幅の下端から、前記所定高寸法の１／２ないし１／６の範囲に相当する上方範囲を開口し、同開口を開閉可能な排出ドアを備える排出ゲートを有し、該排出ドアの閉鎖姿勢下端外壁の必要箇所の夫々に装着棒用の挿着環が設けられ、外がわ適所に車両用の取付部を有し、排出ドアを含む周囲フェンスの下端と、底面フレームの周囲縁上との間に、コンテナシートのスリーブの肉厚寸法分を上下から挟み込み可能な上下間の隙間が確保されたものとしなければならず、前後左右の各壁面が、夫々複数枚の部品の組み合わせからなるものとすることが可能であり、後述する実施例にも示すように、前後壁面が上下に２分割された部品の組み合わせからなるものとし、前壁面の下がわフェンス部分と底面フレームの前面適所との間に、ヒッチフレームの取付部が設けられ、後壁面の下がわフェンス部分が、排出ドアを備える排出ゲートとされたものとすることができる。
【００２３】
排出ゲートは、当該籾殻散布装置に収容された粒状体や粉状体を、底面の散布口以外の、周囲面の後面、左面、右面の少なくとも何れか一面の下端寄りの所定範囲を開口可能とし、散布作業後の籾殻散布装置の内部に残る収容物を、一箇所にまとめて排出可能とする機能を担い、周囲面の後面、左面、右面の少なくとも何れか一面の下端から、前記所定高寸法の範囲に相当する上方範囲を開口し、同開口を開閉可能な排出ドアを備える排出ゲートが設けられてなるものとしなければならない。
【００２４】
排出ゲートは、周囲フェンスの後面、左面、右面の少なくとも何れか一面の下端から、同周囲フェンスの全高寸法である所定高寸法の１／２ないし１／６の範囲に相当する、上方範囲が開口されたものとするのが望ましく、所定高寸法の１／２を超えた上下間寸法とされたものの場合には、排出ドアを開いた瞬間に大量の粒状体や粉状体などの収容物が一挙に排出されて危険を招く虞があり、また、所定高寸法の１／６未満の上下間寸法とされたものの場合には、排出ドアの開放地上高を充分に確保するのが難しく、収容物の全量が一箇所に排出される前に、地上に排出され、積み上がった粒状体や粉状体などが、排出ドアを閉鎖してしまい一箇所に排出することができなくなる虞があるから、所定高寸法の１／２ないし１／６の範囲に相当する、上方範囲が開口されたものとするのが良い。
【００２５】
底面フレームと周囲フェンスとの接続部は、底面フレームの周縁上端と、周囲フェンスの周縁下端との上下間に、コンテナシートのスリーブの肉厚寸法分を挟み込み可能な隙間を確保した状態に、底面フレーム上に周囲フェンスを着脱可能に組み立て可能とする機能を担っていて、底面フレームと周囲フェンスとの何れか一方に設けられた少なくとも１個の接続柱部と、何れか他方に設けられた少なくとも１個の被接続部とからなるものとしなければならず、接続柱部と被接続部とを互いに固定可能な仮固定機構を有するものとすることができ、該仮固定機構は、接続柱部が挿し込まれた筒状の被接続部の外がわから貫通したボルトにナットが螺合されてなるものや、接続柱部の周壁から直径方向外がわに向けて弾性的に突出するよう付勢され、出没可能な係合突起と、筒状の被接続部の周壁に貫通され該係合突起が嵌合可能な係合孔との組み合わせからなるものなどとすることが可能であり、後述する実施例にも示しているとおり、底面フレームの周縁上端に沿って点在するよう複数設けられた被接続部、および、各被接続部に対応する周囲フェンスの周縁下端に複数配設された接続柱部からなるものとすることができる。
【００２６】
排出ゲートは、当該籾殻散布装置のコンテナシート内に収容された、粒状体や粉状体などを底面の散布口から散布する場合ではなく、散布作業終了後などにコンテナシート内に残存した粒状体や粉状体などを一箇所にまとめて排出する場合などに、籾殻散布装置の底面上となる周囲面の後面、左面、右面の少なくとも何れか一面の下部を開放し、残存物を一挙に排出可能とする機能を担い、周囲フェンスの後面、左面、右面の少なくとも何れか一面の下端から、同周囲フェンスの所定高（全高）寸法の１／２ないし１／６の範囲に相当する上方範囲を開口し、同開口を開閉可能な排出ドアを備えてなるものとするのが望ましく、例えば、底面フレームの後端上縁に対して門型の開口をなすものとし、周囲フェンスの左右壁の下方後端縁と、周囲フェンスの後上壁下端縁とによって形成された枠状部分とすることが可能であり、より具体的な例を示すならば、排出ドアが、排出ゲートの左右端間の中央適所から左右に分割された観音開き型のものとされ、閉鎖中に左右の分割ドアを閉鎖する施錠機構を有するものとすることができる外、開放状態に仮固定可能とするチェーン、紐、金具類、その他などかなる開放維持機構を設けたものとすることができ、後述する実施例にも示しているような、底面フレームの後端上縁と、周囲フェンスの左右壁の下方後端縁と、周囲フェンスの後上壁下端縁とに囲まれた範囲に組み込まれた、門型の骨格からなり、排出ドアが、該門型骨格の上部適所にヒンジ機構を介して開閉自在に吊着された下端外開き型のものとされ、閉鎖中に下端を閉鎖状態に仮固定可能な鈎機構が設けられてなり、さらに、両端に係合用の鈎部分が設けられた鈎棒からなり、一端を周囲フェンスの後壁適所に係合し、他端を排出ドアの遊端がわ適所に係合し、排出ドアを開放状態に維持可能とする開放維持機構が設けられたものとすることができる。
【００２７】
車両用の取付部は、当該籾殻散布装置を対象車両に搭載可能とする機能を担い、装置骨格体の何れか外がわ適所に設けられたものとするのが望ましく、例えば、後述する実施例にも示しているが、装置骨格体の前面外がわの左右端間中央にヒッチフレームの取付部を有するものとすることができ、より具体的には、農業用トラクターのオートヒッチ、クイックヒッチ、ワンタッチヒッチなどに脱着自在に接続可能な取付部を有するものとすることが可能である。
【００２８】
コンテナシートは、装置骨格体の底面上、および、周囲面内に粒状体や粉状体を溢さぬよう収容可能とする機能を担っており、当該籾殻散布装置に収容された粒状体や粉状体を溢さぬよう、底面上、および、周囲面内を連続面状に繋ぎ、装置骨格体内の隙間を無くす内張りとなるよう内装されたものとしなければならず、軟質シート製であって、底面フレーム上、および、周囲フェンス内に沿い、上端投入口および下端排出口を有した筒型とされ、少なくとも該上端投入口付近の周囲に沿って該周囲フェンスの内周壁上端に装着可能な吊着部が設けられ、下端排出口には、底面フレームの内周壁上端から、さらに下方に一定寸法分延伸された閉止スカート部が設けられると共に、該閉止スカート部の上端付近の外周囲に沿って、前記各接続部、挿着環、四角およびそれ以外の部品類の装着部分などの必要箇所を除く範囲に、水平方向に貫通するスリーブが設けられ、排出ドアの左右端に対峙する位置に、閉止スカート部から該排出ドアの上端に達する適宜上下間寸法の左右開閉ファスナーが設けられ、該左右開閉ファスナー間の排出ドアに対応する範囲が、開閉可能な後部開閉面とされたものとすることができ、例えば、粒状体が漏れ出さない程度に細かな網目とされた軟質の網目シート製のものとしたり、粉状体が漏れ出ない程度に目が詰められた織布シート製のものとしたりすることが可能である外、軟質合成樹脂シート製や、軟質ゴムシート製のものなどとすることが可能であり、後部開閉面を左右何れか一方に開閉可能なものとしたり、観音開き可能なものとしたり、上端を遊端とするよう開放可能なものとしたりすることができる外、後述する実施例にも示すように、一部または全部が、透明および半透明の少なくとも何れか一方の内部収容物を透視可能な軟質合成樹脂シート製のものとされ、排出ドアの左右端に対峙する位置に、閉止スカート部から該排出ドアの上端を超える適宜上下間寸法の左右開閉ファスナーが設けられ、該左右開閉ファスナー間の排出ドアに対応する範囲が、下端を遊端とするよう開閉可能な後部開閉面とされたものとすることができる。
【００２９】
コンテナシートの吊着部は、装置骨格体の内側に沿って該コンテナシートを筒状に吊り下げ保持可能とする機能を分担し、コンテナシートの上端投入口付近の周囲に沿って設けられ、該周囲フェンスの内周壁上端に装着可能な、吊り紐、吊り環、フック、その他の吊下げ用部品類とすることが可能であり、例えば、周囲フェンスの上端周囲に架設された水平棒状部分に表がわから裏がわに（または、裏がわから表がわに）巻き付く寸法に設定された巻付き帯部分が、コンテナシートの上端に沿って設けられ、該巻付き帯部分の基端および基端に沿って、該巻付き帯部分の基端に対して同巻付き帯部分の先端を脱着可能とする面ファスナが設けられてなるものとすることができる外、後述する実施例にも示すとおり、周囲フェンスの上端周囲に架設された水平棒状部分に表裏がわから巻き付く寸法に設定された一対の巻付き帯部分、および、該一対の巻付き帯部分の先端間に沿って点在するよう設けられた複数個の着脱ホックからなるものとすることができる。
【００３０】
閉止スカート部は、底面フレームの周縁上端と、周囲フェンスの周縁下端との接続部分の隙間を内がわから、上下が連続するよう閉鎖し、コンテナシート内の収容物が、外部に漏出することなく、底面フレームの散布口へと降下して行くよう誘導可能とする機能を担うものであり、コンテナシートの下端排出口に連続し、底面フレームの内周壁上端から、さらに下方に一定寸法分延伸されたものとし、これを換言すれば、コンテナシートの下端排出口が、底面フレームの内周壁上端から、さらに下方に一定寸法分連続状に延伸されてなるものということができ、コンテナシートとその閉止スカート部とは、同一の軟質シート製のものとすることが可能である外、コンテナシートとその閉止スカート部とが互いに異なるシート素材製のものとすることが可能であり、閉止スカート部が、硬質シート製のものとされる場合には、底面フレームの内壁に沿う形状に成型され、粒状体や粉粒物などの収容物の排出を促進可能とし、同収容物の排出を阻害しない形状のものとするのが望ましく、該閉止スカート部の上端付近の外周囲に沿って、各接続部、挿着環、四角およびそれ以外の部品類装着部分などの必要箇所を除く範囲に、水平方向に貫通するスリーブが設けられたものとしなければならない。
【００３１】
スリーブは、コンテナシートの下端排出口を、底面フレームの内周壁上端と周囲フェンスの内周壁下端との上下間隙間付近に配するよう規制し、閉止スカート部が、底面フレームの内周壁上端から、同底面フレームの内周壁に沿って重る状態に垂下するよう規制可能とする機能を担うものであり、該閉止スカート部の上端付近の外周囲に沿って、各接続部、挿着環、四角およびそれ以外の部品類装着部分などの必要箇所を除く範囲に、水平方向に貫通するよう設けられたものとしなければならず、装置骨格体の内がわから外がわに差し通され、底面フレームの周壁上端と周囲フェンスの周壁下端との上下間隙間を密閉状に閉鎖可能な柔軟性を有すると共に、底面フレームの周壁上端と周囲フェンスの周壁下端との上下間隙間から外がわに露出された先端筒状部分が、装着棒を挿し通すのに適した寸法に設定され、しかも装着棒の挿着による保持力に充分に耐える得る強度が確保されたものとすべきである。
【００３２】
装着棒は、コンテナシートのスリーブを、装置骨格体の底面フレームの周壁上端と周囲フェンスの周壁下端との上下間隙間部分に着脱可能に仮固定可能とする機能を担い、底面フレームの周壁上端と周囲フェンスの周壁下端との前および左右の各隙間から、外がわに引き出された各スリーブに対し、底面フレームの周壁上端と周囲フェンスの周壁下端との前および左右の隙間の各上下幅よりも僅かに大きな直径に設定された前および左右の各装着棒、および、底面フレームの後ろの周壁上端と排出ドアの閉鎖姿勢下端との隙間から、外がわに引き出された各スリーブ、および、排出ドアの閉鎖姿勢下端外壁の各挿着環に対して挿着可能な寸法に設定された、後ろの装着棒からなるものとすべきであり、スリーブに挿着し、スリーブを装置骨格体に対して仮固定するに充分な強度、剛性を備えた素材、形状のものとしなければならず、丸、四角、多角、異形、その他の断面形状の棒またはパイプ等とすることが可能である外、底面フレームの周壁上端と周囲フェンスの周壁下端との隙間の各上下幅よりも大きな直径に設定された、紐状物、チェーン類、ホース類などに置き換えることが可能である。
【００３３】
装着棒用の挿着環は、装置骨格体の外周囲に沿うよう、コンテナシートのスリーブに挿着される装着棒を、装置骨格体の外周囲に保持する機能を担い、特に、排出ドアの開閉動作に、コンテナシートの後部開閉面が追従可能となるよう、排出ドアの遊端に装着棒を保持可能とする機能を担うものであり、少なくとも排出ドアの閉鎖姿勢下端外壁の必要箇所の夫々に設けられたものとしなければならず、必要に応じて、装置骨格体の底面フレームの周壁上端の外がわ、および、周囲フェンスの周壁下端の外がわの少なくとも何れか一方の周囲に点在するよう設けられたものとすることが可能であり、何れの場合にもコンテナシートのスリーブの各挿着環に対応する箇所夫々には、切り欠きや、スリーブの設けられない空白部分が設けられ、各挿着環とスリーブとが互いに干渉しないよう寸法設定、および配置されたものとすべきである。
以下では、図面に示すこの発明を代表する実施例と共に、その構造について詳述することとする。                                                                                                
【図面の簡単な説明】
【００３４】
図面は、この発明の籾殻散布装置の技術的思想を具現化した代表的な一実施例を示すものである。
【図１】トラクターに搭載された籾殻散布装置を示す斜視図である。
【図２】籾殻散布装置を示す斜視図である。
【図３】分解された籾殻散布装置を示す斜視図である。
【図４】組み立て初期段階の装置骨格体を示す斜視図である。
【図５】組み立て中期段階の装置骨格体を示す斜視図である。
【図６】分解された周囲フェンスの上部を示す斜視図である。
【図７】排出ゲートを示す斜視図である。
【図７−ａ】排出ゲートの鈎機構を示す斜視図である。
【図７−ｂ】排出ゲートのヒンジ機構を示す斜視図である。
【図８】排出ドアを示す三面図である。
【図９】排出ドアのヒンジ機構を示す斜視図である。
【図１０】排出ドアのヒンジ機構を示す斜視図である。
【図１１】装置骨格体を示す斜視図である。
【図１１−ａ】ヒッチフレーム用の取付部を示す斜視図である。
【図１１−ｂ】ヒッチフレーム用の取付部の要部を示す斜視図である。
【図１２】コンテナシートを示す三面図である。
【図１３】スリーブおよび装着棒の挿着手順を示す側面図である。
【図１４】排出ドアを開放した装置骨格体を示す斜視図である。
【図１５】開放した後部開閉面を示す斜視図である。
【実施例１】
【００３５】
図１ないし図１５に示す事例は、底面に散布口３１が設けられた矩形枠形状の底面フレーム３を有し、該底面フレーム３上方の所定高寸法範囲を囲み、上下端面が開口され、後面、左面、右面の少なくとも何れか一面（この実施例１では後面）の下端から、所定高寸法の１／２未満ないし１／６を超えた範囲に相当する上方範囲を開閉可能な排出ドア６０を有した周囲フェンス４が設けられ、接続部５を介して該底面フレーム３と該周囲フェンス４とが一体化し、吊着部８２、スリーブ８６を備えた閉止スカート部８５を有し、排出ドア６０に対応する範囲が開閉ファスナー８８を有する後部開閉面８７とされた筒型のコンテナシート８が、吊着部８２を介して周囲フェンス４内に吊着され、底面フレーム３の上端と周囲フェンス４の下端との隙間から、外がわに引き出されたスリーブ８６、および、排出ドア６０の閉鎖姿勢下端下の隙間から、外がわに引き出された各スリーブ８６に各装着棒９が挿し通されてなるものとした、この発明の籾殻散布装置における代表的な一実施例を示すものである。
【００３６】
図１ないし図１５の各図からも明確に把握できるとおり、この発明の籾殻散布装置１の装置骨格体２の底面フレーム３は、矩形枠形状の左右端間に渡り、上端から下端に向けて前後壁面間が狭まる漏斗状であって、開閉機構３２としてのシャッター機構３２、それに付随し、該シャッター機構３２をカバーする連動部カバー３３およびカバー固定バー３４，３４，……を具備し、下向き散布口３１，３１が、前後、合計二箇所に設けられた底面フレーム３を有し、該底面フレーム３２の上端の四角と、上端の前辺の左右間の二箇所の夫々に、接続部５の一部としての被接続部５１，５１，……が上向きの矩形鞘状に開口されたものとなっている。
【００３７】
図３および図１１に示されるように、装置骨格体２の周囲フェンス４は、同周囲フェンス４の全高寸法である所定高寸法Ｈの１／３の高さ寸法に設定された前下柵４１、同じく所定高寸法Ｈの２／３の上下間寸法に設定された前上柵４２、所定高寸法Ｈに設定された左右柵４３，４３、所定高寸法Ｈの１／３の高さ寸法に設定された排出ゲート６、および、所定高寸法Ｈの２／３の上下間寸法に設定された後上柵４４の組み合わせからなり、それら前下柵４１、前上柵４２、左右柵４３，４３、排出ゲート６および後上柵４４の、垂直または水平方向に互いに接合する要所々々の適所間に上向き開口の矩形鞘状とされた被接続部５１、および、下向き矩形凸状の接続柱部５０が対をなしてなる接続部５，５，……が、互いの被接続部５１，５１，……に対して、接続柱部５０，５０，……が下向きに挿し込まれて接続され、底面フレーム３の周囲に相当する所定高寸法Ｈの範囲を囲む上下端開口の矩形柵状のものとされている。
【００３８】
図３ないし図１１に示すように、排出ゲート６は、周囲フェンス４の後面左右端間略全幅の下端から、所定高寸法Ｈの１／３の高さ寸法に相当する四角形状範囲が門型に開口されており、該排出ゲート６には、同開口の上端左右隅に設けられ、同一水平軸心上に軸支するヒンジ機構６１，６１を介し、同開口の内側を開閉可能な寸法の四角形に設定された柵状の排出ドア６０の上端左右角部が夫々軸着され、該排出ドア６０の閉鎖状態の下端左右角部には、左右外がわに突出する上向きの鈎片６３，６３が設けられていると共に、該排出ドア６０の閉鎖状態の後方外がわ面下端の左右端間の適宜間隔を隔てた複数箇所には、同一水平軸心上に配列された挿着環５２，５２，……が点在状に一体化されている。
【００３９】
排出ゲート６の左右下端の、排出ドア６０が閉鎖状態の場合に鈎片６３，６３が対応する箇所には、左右夫々、前後水平方向の軸心回りに回動可能であって、係合端を下向きの施錠姿勢と、上向きの解錠姿勢とに変形可能としたＬ字金具６４，６４が、夫々の基端を複数個のナットで脱抜不能に軸着されてなる、鈎機構６２，６２が設けられている。
【００４０】
さらに、図１４および図１５に示すように、排出ゲート６には、両端に係合用の鈎部分を有する適宜長さの棒状体からなり、周囲フェンス４の後上柵４４の任意適所の骨格部分に、一端の鈎部分を係合可能、且つ、排出ドア６０の骨格部分の任意適所に、他端の鈎部分を係合可能なものとされ、周囲フェンス４の後上柵４４の任意適所の骨格部分に対して、排出ドア６０の骨格部分の任意適所を吊下し、排出ドア６０の開放姿勢を維持可能なものとされた鈎棒６５からなる開放維持機構６５を有するものである。
【００４１】
前記排出ドア６０を有する排出ゲート６は、周囲フェンス４の後上柵４の下に設けられているが、周囲フェンス４の左右柵４３，４３の何れか一方に設けられたものや、周囲フェンス４の左右柵４３，４３の双方に適宜組み込み構造を介して設けられたものとすることが可能であり、左右柵４３，４３に設けられたものとする場合にも、前記と同様のヒンジ機構６１、鈎機構６２の鈎片６３およびＬ字金具６４、開放維持機構６５（鈎棒６５）を有するものとすることができる。
【００４２】
図３ないし図６に示すように、装置骨格体２の周囲フェンス４の前下柵４１の下端左右端、および、同右端間の複数箇所、および、排出ゲート６の左右端の夫々に、矩形凸状の接続柱部５０，５０，……が、下向きに突設される一方、底面フレーム３の周縁上端上の各、接続柱部５０，５０，……に対応する箇所には、上向き開口の矩形鞘状とされた被接続部５１，５１，……が開口され、それら接続柱部５０，５０，……および被接続部５１，５１，……からなる接続部５を介して当該底面フレーム３上に周囲フェンス４が嵌合状に組み合わせられ互いに一体化されたものとなる。
【００４３】
また、図１、図１１、図１１−ａおよび図１１−ｂに示すように、装置骨格体２の底面フレーム３および前下柵４１の左右端間中央には、農業用トラクター７０のヒッチフレームに取り付け可能となる取付部７が、ボルト・ナット結合されて設けられたものとしてある。
【００４４】
図２および図１２に示すように、コンテナシート８は、半透明の軟質合成樹脂シート製であって、該周囲フェンス４の内周壁の上下端間の矩形筒型形状に沿って装着可能な寸法の、上端投入口８０および下端排出口８１を有する筒型形状のものとされ、該コンテナシート８の上端投入口８０の周囲に沿って、周囲フェンス４の上端周囲に架設された水平棒状部分の四角、および、垂直柱結合部分を除く範囲に表裏がわから巻き付く寸法に設定された一対の巻付き帯部分８３，８３，……、および、一対の巻付き帯部分８３，８３，……の先端間に沿って点在するよう設けられた複数個の着脱ホック８４，８４，……からなる吊着部８２が設けられている。
【００４５】
そして、図１２および図１３に示すように、コンテナシート８の下端排出口８１には、底面フレーム３の内周壁上端から、さらに下方に一定寸法分延伸された閉止スカート部８５が一体に設けられると共に、該閉止スカート部８５の上端付近の外周囲に沿って、前記各接続柱部５，５，……、四角、挿着環５２，５２，……を除く範囲に、水平方向に貫通するスリーブ８６，８６，……が設けられており、該スリーブ８６の水平軸心回りの内周囲寸法は、周囲フェンス４（排出ドア６０）の内外間厚み寸法と、装着棒９の外周囲寸法と、底面フレーム３上端と周囲フェンス４下端との接合部分の内外間厚み寸法とを合計した寸法と略等しく設定されている。
【００４６】
図２、図１２および図１５に示すように、コンテナシート８の周囲フェンス４の排出ドア６０に対応する範囲には、該排出ドア６０の左右端に対峙する位置に、閉止スカート部８５下端から該排出ドア６０の上端を超える適宜上下間寸法の左右開閉ファスナー８８，８８が設けられ、該左右開閉ファスナー８８，８８間の排出ドア６０に対応する範囲が、開閉可能な後部開閉面８７とされており、また、同コンテナシート８の上端投入口８０の四辺の前後端間、左右端間の各中央より、夫々鉛直下方に開閉可能な、所定高寸法Ｈの約１／３の上下間長さに設定された上部ファスナー８９，８９，……が夫々設けられたものとなっている。
コンテナシート８の開閉面８７は、周囲フェンス４の左右柵４３，４３の少なくとも何れか一方に排出ドア６０が設けられたものの場合にも、各排出ドア６０に対応する範囲に、同様の開閉ファスナー８８，８８を有するものとして、設けられたものとすることが可能である。
【００４７】
（実施例１の作用）
以上のとおりの構成からなるこの発明の籾殻散布装置１は、図１ないし図１５に示すように、コンテナシート８が、装置骨格体２の周囲フェンス４の内周壁上端の水平骨格部分に、上端投入口８０が対応するよう各吊着部８２，８２，……の巻付き帯部分８３，８３，……が巻き付けられ、各着脱ホック８４，８４，……で固定され、着脱可能に吊着されたものとなり、底面フレーム３の周壁上端と周囲フェンス４の周壁下端との前および左右の各隙間から、外がわに引き出された各スリーブ８６，８６，……に対し、底面フレーム３の周壁上端３０と周囲フェンス４の周壁下端４０との前および左右の隙間の各上下幅よりも僅かに大きな直径に設定された前および左右の計３本の各装着棒９（９０，９０，９１）が挿し通され、また、底面フレーム３の後ろの周壁上端３０と排出ドア６０の閉鎖姿勢下端（４０）との隙間から、外がわに引き出された各スリーブ８６，８６，……、および、排出ドア６０の閉鎖姿勢下端外壁の各挿着環５２，５２，……に対し、後ろの1本の装着棒９（９１）が挿し通され、底面フレーム３の上端内周壁に閉止スカート部８５，８５，……が重ねられた状態に内装されてなるものとするよう組み立てられる。
【００４８】
さらに、図２中に示すように、前記天面開放型のコンテナシート８とは異なり、通気性ネット素材製の四角形状の天面８ａを有し、該ネット状天面８ａの中央に、粒状体や粉状体を供給可能とする供給部ファスナー８ｂが設けられたコンテナシート８を内装した場合に、装置骨格体２の周囲フェンス４の前上柵４２上端および後上柵４４上端の左右端間に均等配置となる二箇所に、前後間に水平な着脱梁４５，４５に掛け渡され、各着脱梁４５，４５に対して、該コンテナシート８のネット状天面の対応複数箇所が、吊り紐やフックなどの天吊り部品８ｃ，８ｃ，……を介して吊下してなるものとすることが可能である。
【００４９】
以上の如く組み立てられたこの発明の籾殻散布装置１は、コンテナシート８の各閉止スカート部８５，８５，……の上端外がわに沿って設けられたスリーブ８６，８６，……を有しているから、各装着棒９（９０，９０，９１，９１）によって組み込まれると、底面フレーム３の周壁上端３０と周囲フェンス４の周壁下端４０との前および左右の隙間、および、底面フレーム３の後ろの周壁上端３０と排出ドア６０の閉鎖姿勢下端（４０）との隙間が、密に閉鎖され、周囲フェンス４上端から、底面フレーム３の散布口３１，３１の上端内壁までが、コンテナシート８および各閉止スカート部８５，８５，……によって密閉状に連続するよう内装されるから、粒状体や粉状体の収容物が、不用意に籾殻散布装置１外へ漏出してしまうのをより確実に防止することができ、しかも、底面フレーム３の開閉機構３２であるシャッター機構３２や、排出ゲート６の排出ドア６０の各開閉操作性を高めたものとすることができる。
【００５０】
加えて、排出ドア６０の上端を超える適宜上下間寸法の左右開閉ファスナー８８，８８が設けられたコンテナシート８は、排出ドア６０の開閉操作に伴う左右開閉ファスナー８８，８８のスライダー付近に加わるストレスを大幅に軽減し、コンテナシート８の破損を防止し、耐久強度を格段に高めたものとすることができると共に、排出ドア６０の開閉操作性が大幅に向上されたものとなる。
【００５１】
（結  び）
叙述の如く、この発明の籾殻散布装置は、その新規な構成によって所期の目的を遍く達成可能とするものであり、しかも製造も容易で、従前からの散布装置類の技術に比較して、内部に残存する粒状体や粉状体などの収容物の排出作業の負担を大幅に軽減し、メンテナンス性、および清掃作業性を格段に高め、旧型のものであっても、一部の部品を交換することにより、一箇所への排出機能を新たに追加することができ、低廉でより経済的なものとすることができるから、籾殻の散布作業終了後の清掃の作業負担が大きかった農家はもとより、農業用機械を取り扱う農業用機械メーカー、および、農業用機器の販売業界においても高く評価され、広範に渡って利用、普及していくものになると予想される。              
【符号の説明】
【００５２】
１      籾殻散布装置
２      装置骨格体
３      底面フレーム
３０    同  周縁上端
３１    同  散布口
３２    同  シャッター機構（開閉機構）
３３    同  連動部カバー
３４    同  カバー固定バー
４      周囲フェンス
４０    同  周縁下端
４１    同  前下柵
４２    同  前上柵
４３    同  左右柵
４４    同  後上柵
４５    同  着脱梁
Ｈ      所定高寸法
５      接続部
５０    同  接続柱部
５１    同  被接続部
５２    同  挿着環
６      排出ゲート
６０    同  排出ドア
６１    同  ヒンジ機構
６２    同  鈎機構
６３    同  鈎片
６４    同  Ｌ字金具
６５    同  鈎棒６（開放維持機構）
７      ヒッチフレームの取付部
７０    同  農業用トラクター
８      コンテナシート
８０    同  上端投入口
８１    同  下端排出口
８２    同  吊着部
８３    同  巻付き帯部分
８４    同  着脱ホック
８５    同  閉止スカート部
８６    同  スリーブ
８７    同  後部開閉面
８８    同  開閉ファスナー
８ａ    同  ネット状天面
８ｂ    同  供給部ファスナー
８ｃ    同  天吊り部品
９      装着棒
９０    同  左右装着棒
９１    同  前後装着棒
【図１】
2019097410.tif 000003
【図２】
2019097410.tif 000004
【図３】
2019097410.tif 000005
【図４】
2019097410.tif 000006
【図５】
2019097410.tif 000007
【図６】
2019097410.tif 000008
【図７】
2019097410.tif 000009
【図７−ａ】
2019097410.tif 000010
【図７−ｂ】
2019097410.tif 000011
【図８】
2019097410.tif 000012
【図９】
2019097410.tif 000013
【図１０】
2019097410.tif 000014
【図１１】
2019097410.tif 000015
【図１１−ａ】
2019097410.tif 000016
【図１１−ｂ】
2019097410.tif 000017
【図１２】
2019097410.tif 000018
【図１３】
2019097410.tif 000019
【図１４】
2019097410.tif 000020
【図１５】
2019097410.tif 000021